(57)【要約】電磁保護部を有するＤＳＴＮディスプレイでは、アクティブセル（１）およびパッシブセル（２）が設けられており、該アクティブセル（１）は電極（１２，１３）を有し、該パッシブセル（２）は該ディスプレイの観察者に対して向けられている。本発明では、該パッシブセル（２）は透明な金属層（１８，１９）を有しており、前記金属層（１８，１９）は接地電位（Ｇ）に導電接続されている。
2005536767.tif 000002
【特許請求の範囲】
【請求項１】
電磁保護部を有するＤＳＴＮディスプレイであって、
アクティブセル（１）およびパッシブセル（２）が設けられており、
該アクティブセル（１）は電極（１２，１３）を有しており、
該パッシブセル（２）は、該ディスプレイの観察者に対して向けられている形式のものにおいて、
該パッシブセル（２）は、透明な金属層（１８，１９）を有し、
前記金属層（１８，１９）は所定の電位に導電接続されており、
前記所定の電位は、たとえば接地電位（Ｇ）であることを特徴とするＤＳＴＮディスプレイ。
【請求項２】
前記透明な層（１８，１９）は、インジウム‐錫‐酸化物から成る、請求項１記載のＤＳＴＮディスプレイ。
【請求項３】
前記金属層（１８，１９）は、表示領域内のガラスを完全に被覆する、請求項１または２記載のＤＳＴＮディスプレイ。
【請求項４】
前記金属層（１８，１９）は、シート状フレキシブル導体（７）を介して所定の電位に接続されており、
前記所定の電位は、たとえば接地電位（Ｇ）である、請求項１から３までのいずれか１項記載のＤＳＴＮディスプレイ。
【請求項５】
該ディスプレイ（Ａ）の側面および背面が金属性のケーシング（３０）によって包囲されており、
該ディスプレイの金属層（１８，１９）は、前記ケーシング（３０）に導電接続されている、請求項１から４までのいずれか１項記載のＤＳＴＮディスプレイ。
【発明の詳細な説明】
【技術分野】
【０００１】
本発明は、電磁シールドを備えたＤＳＴＮディスプレイに関する。アクティブセルは、（たとえばガラスまたはプラスチックから成る）２つの透明なディスクを有し、これらのディスクは相互に間隔をおいて配置されている。前記ディスクの相互に向き合って配置された側の表面上には、透明電極が取り付けられており、この透明電極間に液晶物質が配置されている。この液晶物質は、印加された電圧に応じて、該液晶物質を透過する光の偏光面を変化させる。液晶セルを透過する光の光路には、液晶の他に全部で２つの偏光フィルタが配置されており、光は１つの偏光面のみを透過する。したがって、偏光フィルタの相対的な位置と電極の駆動制御とに応じて、光線は透過または遮断され、それに相応して駆動制御されたディスプレイの画素は、暗くなるかまたは明るくなる。
【０００２】
画質を向上するため、ＤＳＴＮセルでは光の光路にパッシブセルも配置されている。このパッシブセルでも、２つの透明なディスク間に液晶物質が配置されている。この液晶物質はアクティブセルの液晶物質に対して、逆のモード方向（Modularausrichtung）を有する。
【０００３】
個々の画素を駆動すると、その際に発生する高い駆動周波数に起因して電磁妨害が発生する。この電磁妨害は措置がなされなければ、阻止されずに外部へ侵出することがある。さらに、とりわけ自動車にて使用する場合、自動車のユーザが、該ユーザの衣類と自動車座席のカバー布または自動車のシートベルトとの間の摩擦によって高い静電圧にまで帯電されることがある。その際にユーザの体の一部がディスプレイの近くに到達すると、電圧フラッシュオーバが発生し、この電圧フラッシュオーバがディスプレイを損傷または破壊することさえある。それゆえ従来の技術からは、ディスプレイを保護するために金属フレームを設けることが公知である。しかしこの金属フレームは、部材が付加されることを意味し、製造するのに手間およびコストを要する。したがって本発明の課題は、効果的な電磁保護部を提供し、かつこの電磁保護部を低コストおよび簡単に構成できるようにすることである。
【０００４】
本発明によれば前記課題は、パッシブセルのボディのうち少なくとも１つに透明な導電層を設け、この導電層を所定の電位に接続することによって解決される。この所定の電位は、とりわけ接地電位である。
【０００５】
このようにして、ディスプレイが引き起こす電磁妨害は、効果的に外部に対して遮蔽される。それと同時にディスプレイは、外部からの妨害からも保護される。
【０００６】
ＩＴＯ（インジウム‐錫‐酸化物）から成るコーティングが良好な透明度を有しており、目立つことはない。
【０００７】
導電層によってディスプレイ領域内のディスクを完全に被覆することにより、遮蔽効果が確実になり、ディスクのコーティングが特に容易になる。金属層と接地電位とは、シート状フレキシブル導体（Flexfolienleiter）によって特に容易に接続される。
【０００８】
特に良好かつ確実に遮蔽するため、観察者によって知覚可能なディスプレイ領域を除外して、ディスプレイを、金属またはメタライジングされた材料から成るケーシングによって包囲することができる。
【０００９】
本発明を以下で、図面に基づいて詳細に説明する。
【００１０】
図面
図１  本発明によるＤＳＴＮディスプレイの断面図である。
【００１１】
図２  図１の一部の断面Ｐを示している。
【００１２】
図３  金属ケーシングを有する実施形態の断面図である。
【００１３】
ディスプレイＡは、アクティブセル１およびパッシブセル２を有する。パッシブセル２は、可能な観察者Ｂに対して向けられている。ディスプレイＡはカバー３によって包囲されている。アクティブセル１は接続部４を介し、制御線路６ａを介して、プリント基板５上に配置された制御回路６と導電接続されている。パッシブセル２はシート状フレキシブル導体７を介して、接地電位Ｇに導電接続されている。ライトガイド２９が、ディスプレイを後方照明するのに使用される。
【００１４】
図２には、ＤＳＴＮディスプレイの構成が示されている。アクティブセル１は２つの透明ディスク１０，１１を有しており、これらの透明ディスク１０，１１にはそれぞれ電極１２，１３が配置されている。電極１２，１３間に液晶物質１４が設けられている。パッシブセル２も２つの透明ディスク１５，１６を有しており、これらの透明ディスク１５，１６の内側によってそれぞれ、透明な導電層１８，１９が、有利には全面的に被覆されている。前記導電層１８，１９は、有利にはＩＴＯ（インジウム‐錫‐酸化物）である。これらの導電層１８，１９間に液晶物質２０が設けられている。ディスク１０，１６の外側にはそれぞれ偏光フィルタ（２０，２１）が全面的に取り付けられており、最初に無偏光な光が偏光され、アクティブセルに侵入する。電圧が印加されない場合、ここに図示された液晶１４ａ，１４ｂのように、光の偏光面は約２７０°回転される。電圧が印加されると、右側に液晶１４ｃ、１４ｄに関して図示されているように、アクティブセルにおいて光の偏光面は回転されない。パッシブセルの液晶２０ａ〜２０ｄは電界内に存在せず、光の偏光面はすべて、未駆動状態の液晶１４ａ〜１４ｄの回転方向と反対の方向に２７０°回転する。このようにして色効果が補償される。電極１０，１２が駆動されると、偏光された光は偏光フィルタ２２を透過する。このことは矢印によって示されている。
【００１５】
図３にはディスプレイＡが、観察者Ｂによって見ることができる領域を除いて、金属またはメタライジングされた材料から成るケーシング３０によって包囲されているのが示されている。このケーシング３０は、図２に示された導電層１８，１９と導電接続されている。
【００１６】
本発明は容易に変更することができ、たとえば両導電層１８，１９のうち１つを設けるだけでも十分である。さらに、導電層を完全に全面的に取り付けずに、場合によっては部分的に断続的に設けても十分である。
【図面の簡単な説明】
【００１７】
【図１】本発明によるＤＳＴＮディスプレイの断面図である。
【００１８】
【図２】図１の一部の断面Ｐを示している。
【００１９】
【図３】金属ケーシングを有する実施形態の断面図である。
【図１】
2005536767.tif 000003
【図２】
2005536767.tif 000004
【図３】
2005536767.tif 000005
【手続補正書】
【提出日】平成16年7月21日(2004.7.21)
【手続補正１】
【補正対象書類名】特許請求の範囲
【補正対象項目名】全文
【補正方法】変更
【補正の内容】
【特許請求の範囲】
【請求項１】
電磁保護部を有するＤＳＴＮディスプレイであって、
アクティブセル（１）およびパッシブセル（２）が設けられており、
該アクティブセル（１）は電極（１２，１３）を有しており、
該パッシブセル（２）は、該ディスプレイの観察者に対して向けられている形式のものにおいて、
該パッシブセル（２）は、透明な導電層（１８，１９）を有し、
前記導電層（１８，１９）は所定の電位に導電接続されており、
前記所定の電位は、たとえば接地電位（Ｇ）であり、
前記導電層（１８，１９）は、部分的に断続的に設けられていることを特徴とするＤＳＴＮディスプレイ。
【請求項２】
前記透明な層（１８，１９）は、インジウム‐錫‐酸化物から成る、請求項１記載のＤＳＴＮディスプレイ。
【請求項３】
前記金属層（１８，１９）は、シート状フレキシブル導体（７）を介して所定の電位に接続されており、
前記所定の電位は、たとえば接地電位（Ｇ）である、請求項１または２記載のＤＳＴＮディスプレイ。
【請求項４】
該ディスプレイ（Ａ）の側面および背面が金属性のケーシング（３０）によって包囲されており、
該ディスプレイの金属層（１８，１９）は、前記ケーシング（３０）に導電接続されている、請求項１から３までのいずれか１項記載のＤＳＴＮディスプレイ。
【国際調査報告】
2005536767.tif 000006
2005536767.tif 000007
2005536767.tif 000008
2005536767.tif 000009
2005536767.tif 000010
2005536767.tif 000011